(57)【特許請求の範囲】
【請求項１】
遊技の進行に応じて種々の演出を行う演出装置を備えた遊技機であって、
前記演出装置は、
所定の駆動力を付与する駆動手段と、
前記駆動手段から付与された駆動力を受けて回転する円環部材と、
前記円環部材の回転を安定させるための複数の回転安定部材と、
前記複数の回転安定部材の少なくとも一つに設けられており、前記回転安定部材が前記円環部材に当接する方向に、前記回転安定部材に対して付勢力を付与する付勢手段と、
前記付勢手段が設けられた前記回転安定部材が取り付けられるとともに、前記回転安定部材をロックするロック部材を有するベース部とを備えており、
前記付勢手段が設けられた前記回転安定部材は、前記円環部材と当接して前記円環部材の回転を安定させる当接部を有し、前記付勢力を受けることで前記当接部が前記円環部材と当接する通常位置と、前記ロック部によりロックされるロック位置とに変位可能に構成されていることを特徴とする遊技機。
【請求項２】
ベース部に取り付けられた軸部と、
前記軸部が設けられる軸受部と、前記当接部が回転自在に設けられる当接受部と、前記付勢手段の付勢力を受ける付勢力受け部とを有し、前記付勢力を受けると、前記軸部を中心として、前記当接部が前記円環部材と当接する方向に回動する本体部とを備えた請求項１記載の遊技機。
【請求項３】
円環部材は、駆動手段から付与された駆動力を受けるための駆動力受け部と、前記駆動力受け部の後方において回転安定部材が当接される回転当接部とを有する請求項１又は２記載の遊技機。
【請求項４】
付勢手段が設けられていない他の回転案内部材は、円環部材に当接して前記円環部材の回転を安定させる当接部がベース部に取り付けられた回転軸に対して回転自在に取り付けられている請求項２又は３記載の遊技機。
【発明の詳細な説明】
【技術分野】
【０００１】
本発明は、遊技の演出を行うための演出装置を備えた遊技機に関する。
【背景技術】
【０００２】
従来から、パチンコ機やスロットマシン等という遊技機が知られている。近年の遊技機では、遊技の進行に応じて種々の演出を行うための演出装置を備えているのが一般的である。演出装置としては、例えば液晶表示装置等を用いて種々の画像やアニメーション等を表示することができるように構成されているものや、複数の可動体を備えたものが知られている。これら演出装置は、遊技者の遊技の興趣を向上させることができるアニメーションを遊技の進行に応じて表示させたり、遊技の進行に応じて予め定められた可動パターンに基づいて複数の可動体を可動させることができるようになっている。また、演出装置としては、上記した構成を有するものの他に、遊技機において予め定められた位置に、駆動手段により駆動される回転体を備えたものも従来から知られている。例えば、特許文献１においては、大径の円環部材の内部に円板を固着しておき、この円環部材が駆動手段により付与される駆動力を受けて回転できるように構成されたものが開示されている。
【先行技術文献】
【特許文献】
【０００３】
【特許文献１】特開２００９−１２５０８９号公報
【発明の概要】
【発明が解決しようとする課題】
【０００４】
特許文献１に記載されている遊技機では、円環部材がスムーズに回転するように、回転案内部材が円環部材の外周側の複数個所に設けられており、円環部材が回転する際に該円環部材が径方向に移動したり、回転時にガタツキが生じないように構成されている。しかしながら、回転案内部材をベース部材に取付固定する場合には取り付け誤差が発生しやすく、この取り付け誤差によっては、円環部材をスムーズに回転させることができないおそれが生じるという問題があった。即ち、回転案内部材の取り付け誤差は、予め定められた場所に対して、円環部材の径方向内側に発生する場合と径方向外側に発生する場合とが考えられるところ、複数の回転案内部材の取り付け誤差が円環部材の径方向内側に偏って発生した場合には、回転案内部材が円環部材の外周面を押さえつけ、円環部材の回転を阻止してしまったり、又は円環部材を破損させるおそれが生じることがあるという問題があった。これに対し、複数の回転案内部材の取り付け誤差が円環部材の径方向外側に偏って発生した場合には、円環部材の回転が阻止される等の問題は解消されるものの、円環部材の回転時に径方向におけるガタツキが生じやすく、やはりスムーズに回転させることが難しいという問題があった。
【０００５】
本発明は、上記した問題点に鑑みてなされたものであり、円環部材をスムーズに回転させることができ、遊技の興趣を大幅に向上させることができる遊技機を提供することを目的とする。
【課題を解決するための手段】
【０００６】
本発明は、
（１）遊技の進行に応じて種々の演出を行う演出装置を備えた遊技機であって、前記演出装置は、所定の駆動力を付与する駆動手段と、前記駆動手段から付与された駆動力を受けて回転する円環部材と、前記円環部材の回転を安定させるための複数の回転安定部材と、前記複数の回転安定部材の少なくとも一つに設けられており、前記回転安定部材が前記円環部材に当接する方向に、前記回転安定部材に対して付勢力を付与する付勢手段と、前記付勢手段が設けられた前記回転安定部材が取り付けられるとともに、前記回転安定部材をロックするロック部材を有するベース部とを備えており、前記付勢手段が設けられた前記回転安定部材は、前記円環部材と当接して前記円環部材の回転を安定させる当接部を有し、前記付勢力を受けることで前記当接部が前記円環部材と当接する通常位置と、前記ロック部によりロックされるロック位置とに変位可能に構成されていることを特徴とする遊技機、
（２）ベース部に取り付けられた軸部と、前記軸部が設けられる軸受部と、前記当接部が回転自在に設けられる当接受部と、前記付勢手段の付勢力を受ける付勢力受け部とを有し、前記付勢力を受けると、前記軸部を中心として、前記当接部が前記円環部材と当接する方向に回動する本体部とを備えた上記（１）記載の遊技機、
（３）円環部材は、駆動手段から付与された駆動力を受けるための駆動力受け部と、前記駆動力受け部の後方において回転安定部材が当接される回転当接部とを有する上記（１）又は（２）記載の遊技機、
（４）付勢手段が設けられていない他の回転案内部材は、円環部材に当接して前記円環部材の回転を安定させる当接部がベース部に取り付けられた回転軸に対して回転自在に取り付けられている上記（２）又は（３）記載の遊技機を要旨とする。
【発明の効果】
【０００７】
本発明によれば、円環部材が回転する際に、適切な大きさの力で回転安定部材を円環部材に当接させることができるので、円環部材をガタツキなくスムーズに回転させることができる。したがって、本発明によれば、円環部材を回転させることによる演出をスムーズに行うことができ、遊技者の興趣をさらにより向上させることができる演出を行うことが可能になる。
【図面の簡単な説明】
【０００８】
【図１】本発明の実施の形態に係る遊技機の正面図である。
【図２】演出装置の正面図である。
【図３】演出装置の裏面図である。
【図４】演出装置の正面側からの分解斜視図である。
【図５】演出装置の裏面側からの分解斜視図である。
【図６】（ａ）図は、第３回転安定部材の正面側からの分解斜視図であり、（ｂ）図は、第３回転安定部材の裏面側からの分解斜視図である。
【図７】（ａ）図は、第３回転安定部材が通常の位置にある状態を表した説明図であり、（ｂ）図は、第３回転安定部材がロック位置にある状態を表した説明図である。
【発明を実施するための形態】
【０００９】
本発明に係る遊技機の実施の形態について、図面を用いて具体的に説明する。なお、本明細書では、本発明に係る遊技機の例としてパチンコ遊技機（以下、単に遊技機と言う。）を用いて説明するが、本発明はパチンコ機以外の遊技機にも使用することができる。また、本明細書においては、遊技機及び遊技機を構成する各部材の「前側」、「後側」、「上側」、「下側」、「左側」及び「右側」は、遊技機を正面から見た場合における表面側（前面側）、背面側（後面側）、「上側」、「下側」、「左側」及び「右側」を示すものとする。また、本明細書においては、遊技球が各種入賞口に流入することを「入賞」と言い、遊技球が入賞することによって遊技者に払い出される遊技球のことを「賞球」と言う。
【００１０】
［遊技機１の外観構成］
図１に示すように、遊技機１は、機体の外郭を構成する縦長方形の外枠２を備えている。この外枠２の開口前面側には、縦長方形の中枠３が着脱自在に組み付けられている。中枠３は、全体的に合成樹脂材料を用いて形成されており、内部に遊技盤１１等を取付固定することができるように構成されている。前枠４は、中枠３の前面側に、該前枠４の左側に設けられたヒンジを中心に中枠３に対して横開きをすることができるように開閉自在に組み付けられている。前枠４は、ガラス板５を備えており、遊技者が遊技盤１１を視認することができ、かつ遊技盤１１を保護することができるように構成されている。また、前枠４は、遊技に使用する遊技球を一時的に貯留する上受け皿６と、上受け皿６から溢れ出て流下した遊技球を貯留する下受け皿７とをガラス板５の下方に備えている。
【００１１】
遊技機１は、遊技盤１１に向けて遊技機１を弾発するための発射装置を内部に備えており、この発射装置の弾発強さを操作ハンドル８の回動量によって調節することができるように構成されている。また、上受け皿６には、遊技球を貯留する貯留スペースの前側に、遊技者が遊技中に押圧操作する各種ボタン９ａ，９ｂ，９ｃが配置されている。また、遊技機１の上部には、音声を出力するためのスピーカ１０が設けられている。
【００１２】
遊技盤１１は、アクリルやポリカーボネート等の合成樹脂材料で略正方形に形成された平板状の部材である。この遊技盤１１の背面側には、裏ユニット（図示せず）がビス等によって取付固定されている。遊技盤１１には、センター役物としての演出装置１２の装飾枠１３を取り付けるための開口部が略中央部に開口形成されている。また、遊技盤１１の表面には、発射装置で弾発された遊技球を遊技盤１１の上部へ案内する案内レール１５が設けられている。また、遊技盤１１には、案内レール１５により遊技盤１１の上部に案内された遊技球が遊技盤１１の下部に向けて流下する遊技領域１６が形成されている。
【００１３】
遊技領域１６には、演出装置１２を視認可能にするとともに装飾枠１３を取り付けるための開口部が略中央部に開口形成されている。また、遊技領域１６には、第１始動入賞装置ユニット２１、大入賞装置２２、通過ゲート２３及び第２始動入賞装置ユニット２４等の各種入賞装置ユニット等が設けられている。また、遊技領域１６には、多数の誘導釘２５が打たれている。遊技領域１６を流下する遊技球は、誘導釘２５に当たって流下方向を変化させながら、遊技領域１６の上部から下部に向かって流下する。遊技領域１６を流下する遊技球の一部は、各種入賞装置に設けられている各種入賞口（図示せず）に入賞する。また、遊技領域１６を流下する遊技球のうち、各種入賞口に入賞しなかった遊技球は、遊技領域１６の最下部に設けられた第１アウト口２６又は第１始動入賞装置ユニット２１に形成されている後述する第２アウト口３３に流入する。
【００１４】
第１始動入賞装置ユニット２１は、遊技盤１１において役物装置の下方であって該遊技盤１１の左右方向中央よりも左側の案内レール１５寄りにネジ止め等の方法で取付固定されている。第１始動入賞装置ユニット２１は、第１始動入賞口（図示せず）が形成された第１始動入賞装置３１、第１普通入賞口（図示せず）を有する第１普通入賞装置３２及び第２アウト口３３が第１始動入賞装置用ベース部材３４に設けられて構成されている。これら第１始動入賞口、第１普通入賞口及び第２アウト口３３は、いずれも遊技球が入賞可能な大きさに開口形成されている。遊技機１では、第１普通入賞口に遊技球が入賞すると、所定個数（例えば１５個）の賞球が払い出され、第１始動入賞口に遊技球が入賞すると、遊技機１において遊技者に有利な特別遊技状態に移行するか否かを抽選する大当り抽選を行う。また、第２アウト口３３には、第１始動入賞装置ユニット２１に向けて流下してきて、第１普通入賞口及び第１始動入賞口のいずれにも入賞しなかった遊技球が流入する。大当り抽選の結果は、普通図柄表示装置３７とともに遊技盤１１の下部に設けられている特別図柄表示装置４３で表示する。
【００１５】
大入賞装置２２は、遊技盤１１において役物装置の下方であって該遊技盤１１の左右方向中央よりも右側にネジ止め等の方法で取付固定されている。大入賞装置２２は、大入賞装置用ベース部材３５に大入賞口（図示せず）が開口形成されると共に、この大入賞口を開閉する扉部材３６が大入賞装置用ベース部材３５に開閉自在に取り付けられている。遊技機１では、上記した大当り抽選に当選して特別遊技状態に移行した場合に、所定個数（例えば１０個）の遊技球が入賞するか、又は所定時間（例えば３０秒）が経過するまでの間、扉部材３６が開いて大入賞口に遊技球が入賞し、その入賞した遊技球の数に対応した数の賞球を払い出す。
【００１６】
通過ゲート２３は、遊技盤１１の上下方向の略中央であって該遊技盤１１の左右方向中央よりも右側にネジ止め等の方法で取付固定されている。通過ゲート２３は、遊技球が通過可能な大きさに形成された通過入賞口（図示せず）を有している。遊技球が通過入賞口を通過すると、予め定められた確率の下で抽選を行う。抽選の結果は、遊技盤１１の下部に設けられている普通図柄表示装置３７に表示される。
【００１７】
第２始動入賞装置ユニット２４は、遊技盤１１において通過ゲート２３と大入賞装置２２との間の高さ位置であって、遊技盤１１の左右方向中央よりも右側にネジ止め等の方法で取付固定されている。第２始動入賞装置ユニット２４は、第２始動入賞口（図示せず）が形成されるとともに該第２始動入賞口を開閉するための開閉扉３８が設けられた第２始動入賞装置３９、第２普通入賞口（図示せず）を有する第２普通入賞装置４０、第３普通入賞口（図示せず）を有する第３普通入賞装置４１が第２始動入賞装置用ベース部材４２に設けられて構成されている。これら第２始動入賞口、第２普通入賞口及び第３普通入賞口は、いずれも遊技球が入賞可能な大きさに開口形成されている。遊技機１では、第２始動入賞口に遊技球が入賞すると、特別遊技状態に移行するか否かを抽選する大当り抽選を行う。大当り抽選の結果は、普通図柄表示装置３７とともに遊技盤１１の下部に設けられている特別図柄表示装置４３で表示する。
【００１８】
［演出装置１２の構成］
演出装置１２は、遊技機１の裏ユニットに取付固定されている。図２及び図３に示すように、演出装置１２は、ベース部材５１、補強部材５２、円環部材５３、カバー部材５４、駆動手段としての駆動モータ５５、並びに回転安定部材としての第１回転安定部材５６、第２回転安定部材５７及び第３回転安定部材５８を備えている。ベース部材５１には、補強部材５２がベース部材５１の前側からネジ止め等によって取付固定されており、該ベース部材５１の前面を補強部材５２が覆うように構成されている。また、ベース部材５１の略中央部には第１開口部５１ａが開口形成され、補強部材５２の略中央部には第２開口部５２ａが開口形成されている。これら第１開口部５１ａ及び第２開口部５２ａには、ベース部材５１の裏側から円環部材５３が回転可能な状態に嵌め込まれている。円環部材５３は、ベース部材５１に取り付けられた状態の時は、該円環部材５３の表面が補強部材５２の表面よりも前側に突出するように配置される。また、ベース部材５１の裏側には、該ベース部材５１に対して円環部材５３が嵌め込まれた時に、この嵌め込まれた円環部材５３の周囲に位置するように、第１回転安定部材５６、第２回転安定部材５７及び第３回転安定部材５８が配置されている。
【００１９】
ベース部材５１の裏側には、円環部材５３を回転駆動するための駆動モータ５５が取付固定されている。また、ベース部材５１の裏側には、ベース部材５１等に嵌め込まれた円環部材５３を覆うと共に、この円環部材５３がベース部材５１等に対して回転可能に嵌め込まれた状態を維持するためのカバー部材５４が取付固定されている。なお、本実施の形態では、駆動モータ５５は複数個のギヤからなるギヤユニット５９を介して円環部材５３を回転させるように構成されているが、駆動モータ５５の駆動ギヤと円環部材５３とを直接連結させてもよいし、これ以外の構成であってもよい。
【００２０】
ベース部材５１は、演出装置１２の基台となる部材である。図４及び図５に示すように、ベース部材５１は、一部が切り欠かれた略四角形状に形成された板状の部材であり、略中央部に第１開口部５１ａが開口形成されている。第１開口部５１ａは、ベース部材５１の裏側から表側に向けて円環部材５３が挿通され、該ベース部材５１の表面よりも前側に円環部材５３の表面が位置することができ、かつベース部材５１に嵌め込まれた円環部材５３が回転可能となる大きさに貫通形成されている。また、ベース部材５１の表面側には、演出装置１２の装飾枠１３を取り付けるための装飾枠取付部６０が形成されている。また、ベース部材５１の裏面側には、回転安定部材を構成する第１回転安定部材５６の第１回転軸８２を取付固定するための第１ベース側軸受部６１と、第２回転安定部材５７の第２回転軸８４を取付固定するための第２ベース側軸受部６２と、第３回転安定部材５８の第３回転軸８７を取付固定するための第３ベース側軸受部６３とが形成されている。また、図７に示すように、ベース部材５１には、第３回転安定部材を後述するロック位置に位置することを維持するためのロック部５１ｂが形成されている。
【００２１】
補強部材５２は、ベース部材５１の強度を補うための部材である。この補強部材５２は、ベース部材５１の前側から該ベース部材５１に対してネジ止め等の方法によって取付固定されるように構成されている。また、補強部材５２には第２開口部５２ａが開口形成されている。第２開口部５２ａは、補強部材５２の略中央部であって、該補強部材５２をベース部材５１に取付固定した時に、ベース部材５１に開口形成されている第１開口部５１ａと同じ位置となる位置に開口形成されている。補強部材５２は、ベース部材５１を補強することができればよく、従来から公知の材料を任意に選択して用いてよいが、補強の観点から、ベース部材５１よりも強度が高いものを用いることが好ましい。なお、本実施の形態では補強部材５２はベース部材５１の前側から取付固定する構成にしているが、これに限定されるものではない。
【００２２】
円環部材５３は、円環状に形成されており、円環部材本体６５、駆動力受け部６６及び回転当接部６７を備えている。円環部材本体６５は、円環状に形成されており、奥行方向、即ち前後方向に向けて所定の厚さを有し、側方に外周面６８を有するように形成されている。この円環部材本体６５には、内部にＬＥＤ等の各種発光部材（図示せず）が配置されており、遊技の進行に応じてこれらＬＥＤ等が種々の態様で発光して、遊技の演出を向上させることができる構成になっている。また、円環部材本体６５には、中央部に第１空間部６９が形成されている。この第１空間部６９は、図１に示すように、演出装置１２における演出体Ｓを配置するためのスペースである。本実施の形態では、演出体Ｓの例としてピエロの形状をした演出体Ｓを用いているが、これに限定されるものではない。また、演出体Ｓとしては、本実施の形態に示すような所定の形状を有するものに限定されず、例えば液晶表示装置等のような各種画像表示装置を配置してもよい。
【００２３】
また、円環部材本体６５の表面には、回転装飾部７０が設けられている。この回転装飾部７０は、遊技機１のコンセプトに応じた所定の装飾が施されている。本実施の形態では、回転装飾部７０には、図示しない各種絵柄や図柄等が複数描かれるとともに、「７７７」の数字を装飾した部品等が取り付けられている。また、本実施の形態では、複数の各種絵柄や図柄等の境界に所定の装飾が施された装飾部が設けられている。回転装飾部７０は、このような各種絵柄や図柄等による演出効果を得ることができるのみならず、円環部材本体６５の内部に配置されている各種発光部材を遊技の進行に応じて発光させたりすることで、各種絵柄や図柄による演出効果と光による演出効果を組み合わせて用いた演出を行うことができるように構成されている。なお、本実施の形態における回転装飾部７０の構成は一つの例であり、これに限定されるものではない。
【００２４】
駆動力受け部６６は、外周面に歯部が形成された歯車状に形成された部材であり、円環部材本体６５の後部に設けられている。駆動力受け部６６は、円環部材本体６５と別体で形成して該円環部材本体６５に組み付けるように構成してもよいし、円環部材本体６５と一体的に形成してもよい。歯部は、駆動モータ５５の駆動力を受けるためのものであり、ギヤユニット５９と噛み合って連結されるように形成されている。
【００２５】
回転当接部６７は、外周に当接面６７ａが形成された部材であり、駆動力受け部６６の後方に形成されている。この回転当接部６７は、駆動力受け部６６と別体で形成して該駆動力受け部６６に組み付けるように構成してもよいし、駆動力受け部６６と一体的に形成してもよい。当接面６７ａは、第１回転安定部材５６を構成する後述する第１ローラ部材８１の第１当接面７１、第２回転安定部材５７を構成する後述する第２ローラ部材８３の第２当接面７２及び第３回転安定部材５８を構成する後述する第３ローラ部材８６の第３当接面７３が当接するように形成されている。この当接面６７ａは、円環部材本体６５が回転する時に、第１当接面７１、第２当接面７２及び第３当接面７３とが当接することができるよう平滑な面に形成されていることが好ましい。
【００２６】
カバー部材５４は、円環部材５３がベース部材５１及び補強部材５２に対して回転可能に嵌め込まれた状態を維持するとともに、この円環部材５３の回転量等を検知するための後述する各種センサ部材７６を支持するためのものである。カバー部材５４は、カバー部材本体７４と、カバー部材本体７４の内側に形成された第２空間部７５とから構成されている。カバー部材本体７４は、外周端部７４ａが径方向に広がるとともに、この外周端部７４ａから第２空間部７５側に形成されている内周端部７４ｂに向けて、該外周端部７４ａよりも徐々に前側に進出するように形成されている。また、カバー部材５４には、内周端部７４ｂに各種センサ部材７６が設けられている。これら各種センサ部材７６は、円環部材５３の回転量や回転時における位置等を検出するためのものである。各種センサ部材７６に用いられるセンサ部材としては、従来から公知のものを任意に選択して用いてよく、例えば発光部及び受光部を有する光電センサ等を用いることができる。
【００２７】
駆動モータ５５は、ベース部材５１の裏側に取付固定されており、ギヤユニット５９を介して、円環部材５３の駆動力受け部６６に対して駆動力を伝達することができるように構成されている。この駆動モータ５５は、駆動力を駆動力受け部６６に伝達することで、該駆動力受け部６６が設けられている円環部材５３を所定速度で所定量だけ回転駆動するように構成されている。なお、図４における符号５５ａは駆動モータの駆動軸、符号５５ｂは、駆動軸に取付固定される駆動ギヤである。
【００２８】
第１回転安定部材５６は、第１当接部としての第１ローラ部材８１及び第１回転軸８２を有しており、ベース部材５１に形成された第１ベース側軸受部６１に第１回転軸８２が取付固定され、この第１回転軸８２に対して第１ローラ部材８１が回転自在に取り付けられている。第１回転安定部材５６は、ベース部材５１の裏面において、開口部の下方位置に取り付けられている。この第１回転安定部材５６は、第１ローラ部材８１の外周面が円環部材５３の回転当接部６７における当接面６７ａと当接する第１当接面７１となるように構成されている。
【００２９】
また、第２回転安定部材５７は、第２当接部としての第２ローラ部材８３及び第２回転軸８４を有しており、ベース部材５１に形成された第２ベース側軸受部６２に第２回転軸８４が取付固定され、この第２回転軸８４に対して第２ローラ部材８３が回転自在に取り付けられている。第２回転安定部材５７は、ベース部材５１の裏面において、開口部の高さ方向略中央部に位置するように取り付けられている。この第２回転安定部材５７は、第２ローラ部材８３の外周面が円環部材５３の回転当接部６７における当接面６７ａと当接する第２当接面７２となるように構成されている。
【００３０】
第３回転安定部材５８は、ベース部材５１の裏面において、少なくとも円環部材５３の高さ方向中心よりも上部に設けられており、具体的には、開口部よりも上側に位置するように取り付けられている。図６に示すように、第３回転安定部材５８は、本体部８５、当接部としての第３ローラ部材８６、第３回転軸８７及び軸部としての回動軸８８を備えている。本体部８５は、回動軸８８が取り付けられる軸受部としての回動軸受け部８９を一方側の端部に有し、第３回転軸８７が取り付けられる当接受け部としての第３ローラ部材取付部９０を他方側の端部に有している。また、本体部８５は、後述する付勢手段としてのバネ部材９２による付勢力を受けるための付勢力受け部９１を回動軸受け部８９と第３ローラ部材取付部９０との間に有している。なお、付勢力受け部９１は、バネ部材９２からの付勢力を受けることができればよく、その位置は限定されない。また、本体部８５には、後述するロック位置に位置する時に、ベース部材５１のロック部５１ｂと接触するロック面８５ａが形成されている。
【００３１】
第３ローラ部材８６は、中央に第３回転軸８７が挿通可能な挿通孔９３が開口形成され、外周面は円環部材５３の回転当接部６７に形成された当接面６７ａと当接する第３当接面７３が形成されている。この第３ローラ部材８６は、円環部材５３が回転する時に、当接面６７ａと第３当接面７３とが当接することによって、円環部材５３の回転を安定させるためのものである。第３回転軸８７は、本体部８５の第３ローラ部材取付部９０に取付固定されるとともに、第３ローラ部材８６が回転自在に設けられるように構成されている。回動軸８８は、ベース部材５１の裏側に形成されている第３ベース側軸受部６３に取付固定されるとともに、本体部８５の回動軸受け部８９が回動自在に設けられるように構成されている。
【００３２】
バネ部材９２は、一端部がベース部材５１と当接し、他端部が本体部８５の付勢力受け部９１と当接して、第３回転安定部材５８、具体的には本体部８５に対して付勢力を付与するためのものである。このバネ部材９２は、第３回転安定部材５８に対して所定の大きさの付勢力を付与することができればよく、その形状は従来から公知のものを任意に選択して用いることができる。
【００３３】
次に、本実施の形態に係る遊技機１における演出装置１２の作用について説明する。図３に示すように、通常は、演出装置１２は停止した状態を維持しており、この時、駆動モータ５５はギヤユニット５９を介して円環部材５３の駆動力受け部６６と連結している。また、円環部材５３は、回転当接部６７の当接面６７ａが第１ローラ部材８１の第１当接面７１、第２ローラ部材８３の第２当接面７２及び第３ローラ部材８６の第３当接面７３と当接するように配置されている。また、第３回転安定部材５８は、バネ部材９２の付勢力を受けているため、所定の大きさの押圧力をもって回転当接部６７の当接面６７ａを押圧している。
【００３４】
本実施の形態に係る遊技機１では、遊技の進行に応じて、演出装置１２が駆動を開始する。演出装置１２が駆動すると、所定の位置に設けられた発光部材が種々の発光態様で発光するとともに、円環部材５３が回転駆動を開始する。
【００３５】
遊技機１では、円環部材５３を回転駆動させる場合には、駆動モータ５５に対して電力が供給される。駆動モータ５５は、電力が供給されると回転駆動を開始して、駆動軸５５ａ及び駆動軸５５ａに取り付けられた駆動ギヤ５５ｂを回転させる。駆動ギヤ５５ｂは、ギヤユニット５９を構成する複数の従動ギヤと噛み合って連結している。また、ギヤユニット５９を構成する複数の従動ギヤのうちの一つは駆動力受け部６６に形成された歯と噛み合って連結している。したがって、駆動モータ５５が回転駆動を開始すると、駆動モータ５５の駆動力は、ギヤユニット５９及び駆動力受け部６６を介して駆動力受け部６６に伝達される。そして、駆動力受け部６６に駆動力が伝達されると、駆動力受け部６６を有する円環部材５３が全体的に、例えば図３中のＡ方向に回転を開始する。
【００３６】
この時、本実施の形態に係る遊技機１の演出装置１２では、円環部材５３が第１ローラ部材８１の第１当接面７１、第２ローラ部材８３の第２当接面７２及び第３ローラ部材８６の第３当接面７３が回転当接部６７の当接面６７ａに当接している。したがって、円環部材５３は、これら第１〜第３当接面７１〜７３と当接面６７ａとが当接した状態を維持しながら回転することになり、回転時における上下左右方向のブレの発生を防止し、ガタツキを生じさせることなくスムーズに回転させることができる。特に、本実施の形態に係る遊技機１の演出装置１２では、バネ部材９２が第３回転安定部材５８に対して図３及び図７（ａ）に示すＢ方向へ付勢力を付与しており、それに伴って、第３回転安定部材５８も円環部材５３に対して、Ｂ方向の力により押圧している。そのため、円環部材５３の回転時に発生しがちな上下左右方向のガタツキを適度な力でより効果的に抑えることができ、円環部材５３の回転を第１〜第３回転安定部材５６〜５８によって止めてしまうこともなく、さらによりスムーズに回転させることができる。また、このように、第３回転安定部材５８をバネ部材９２で付勢することによって、仮に円環部材５３に多少のガタツキが発生した場合であっても、そのガタツキによる円環部材５３の上下左右方向への動きを吸収しやすくすることができる。したがって、この演出装置１２によれば、ガタツキの発生に伴って円環部材５３が回転しなくなる等のような不具合を確実に解消することも可能になる。
【００３７】
そのため、本実施の形態に係る遊技機１によれば、円環部材５３を回転させることにより演出をよりスムーズに行うことができ、遊技者の興趣をさらにより向上させることができる演出を行うことが可能になる。
【００３８】
次に、第３回転安定部材５８をロックさせる動作について説明する。通常は、第３回転安定部材５８は、第３ローラ部材８６の第３当接面７３が回転当接部６７の当接面６７ａと当接するように配置されているため、図７（ａ）に示した状態となるように配置されている。しかし、第３回転安定部材５８は、バネ部材９２によって図７（ａ）中のＢ方向に付勢されているため、円環部材５３をベース部材５１に組み付けられていない場合には、バネ部材９２の付勢力によって図７（ａ）に示す位置よりもさらにＢ方向へ移動した位置まで移動することになる。そのため、例えば円環部材５３をベース部材５１に対して取り外しする等のような場合には、第３回転安定部材５８を通常の位置からロック位置へと、図７（ａ）中のＣ方向へ回動させる。この時、第３回転安定部材５８は、回動軸８８を中心としてＣ方向へ回動する。そして、本体部８５のロック面８５ａがベース部材５１のロック部の表面と接触する。その時の接触力の大きさはバネ部材９２の付勢力よりも大きく形成されているので、第３回転安定部材５８は、図７（ｂ）に示す状態を維持することになる。
【００３９】
このように、本実施の形態に係る遊技機１によれば、演出装置１２を組み立てる際や円環部材を交換する等の場合には、第３回転安定部材５８をロック位置に位置させておき、円環部材５３をベース部材５１に組み込む等の作業を行うことができる。したがって、組立時の手間を軽減することができ、製造効率を大幅に向上させることも可能になる。
【００４０】
以上、本発明に係る遊技機の実施の形態について詳細に説明したが、本明細書に記載した遊技機の構成及び作用効果は、本発明に係る遊技機に関する一つの例を示したに過ぎず、これに限定させるものではない。また、本発明に係る遊技機においては、本発明の趣旨を逸脱しない範囲において、適宜その構成を変更してもよい。
【符号の説明】
【００４１】
１  遊技機
１１  遊技盤
１２  演出装置
１６  遊技領域
５１  ベース部材
５２  補強部材
５３  円環部材
５４  カバー部材
５５  駆動モータ
５６  第１回転安定部材
５７  第２回転安定部材
５８  第３回転安定部材
６５  円環部材本体
６６  駆動力受け部
６７  回転当接部
６７ａ  当接面
７１  第１当接面
７２  第２当接面
７３  第３当接面
７４  カバー部材本体
８１  第１ローラ部材
８２  第２回転軸
８３  第２ローラ部材
８４  第２回転軸
８５  本体部
８６  第３ローラ部材
８７  第３回転軸
８８  回動軸
９０  第３ローラ部材取付部
９１  付勢力受け部
９２  バネ部材
【図１】
0006042780.tif 000002
【図２】
0006042780.tif 000003
【図３】
0006042780.tif 000004
【図４】
0006042780.tif 000005
【図５】
0006042780.tif 000006
【図６】
0006042780.tif 000007
【図７】
0006042780.tif 000008